(57)【要約】多機能リモコンシステムを開示する。前記システムは、カートリッジ（２００）と機械的および電気的に接続し、第１接続部（１１０）を介してカートリッジ（２００）に収録されたデータを読み出して格納し、リモコンの使用登録設定を行うリモコン（１００）と、前記リモコン（１００）と機械的および電気的に接続し、ユーザーコンピュータ（１０）からデータを受信して格納し、コントロールしようとする製品に対して／から赤外線信号を送受信するカートリッジ（２００）とを含んでなる。
2009519667.tif 000002
【特許請求の範囲】
【請求項１】
多機能リモコンシステムにおいて、
カートリッジ（２００）と機械的および電気的に接続し、カートリッジ（２００）に格納されたデータを読み出して格納し、リモコンの使用登録設定を行うリモコン（１００）と、
前記リモコン（１００）と機械的および電気的に接続し、ユーザーコンピュータ（１０）からデータを受信して格納し、コントロールしようとする製品に対して／から赤外線信号を送受信するカートリッジ（２００）とを含むことを特徴とする多機能リモコンシステム。
【請求項２】
前記リモコン（１００）は、
前記カートリッジ（２００）と機械的および電気的に接続する第１接続部（１１０）と、
前記第１接続部（１１０）を介して、前記カートリッジに格納されたデータを読み出すデータリーダー部（１２０）と、
前記データリーダー部（１２０）から読み出したデータを格納するメモリ部（１３０）と、
前記リモコンの使用登録設定のための設定キーを含んで多数のキーからなるキー入力部（１４０）と、
前記データリーダー部（１２０）、前記メモリ部（１３０）および前記キー入力部（１４０）を制御する中央処理部（１５０）とを含むことを特徴とする請求項１に記載の多機能リモコンシステム。
【請求項３】
前記カートリッジ（２００）は、
前記リモコン（１００）と機械的および電気的に接続する第２接続部（２１０）と、
前記ユーザーコンピュータ（１０）からデータを受信するインターフェース部（２２０）と、
前記インターフェース部（２２０）を介して受信したデータを格納するメモリ部（２３０）と、
コントロールしようとする製品に対して／から赤外線信号を送受信する赤外線送受信部（２４０）と、
前記インターフェース部（２２０）、前記メモリ部（２３０）および前記赤外線送受信部（２４０）を制御するＭＣＵ（２５０）とを含むことを特徴とする請求項１に記載の多機能リモコンシステム。
【請求項４】
前記メモリ部（１３０）に格納されたマルチメディアコンテンツの音声データを出力するスピーカ部（１６０）と、
前記メモリ部（１３０）に格納されたマルチメディアコンテンツの動画像データを出力するディスプレイ部（１７０）とをさらに含み、
前記スピーカ部（１６０）および前記ディスプレイ部（１７０）は前記中央処理部（１５０）と接続することを特徴とする請求項２に記載の多機能リモコンシステム。
【請求項５】
前記ディスプレイ部（１７０）は、ＳＶＧ（Ｓｃａｌａｂｌｅ  Ｖｅｃｔｏｒ  Ｇｒａｐｈｉｃｓ）を基礎とすることを特徴とする請求項４に記載の多機能リモコンシステム。
【請求項６】
前記データは、上記ソフトウェアに搭載されたカートリッジ制御ソフトウェア（１１）を介してインターネットに接続されたサーバによって提供される多様な電子機器のコードデータであることを特徴とする請求項１に記載の多機能リモコンシステム。
【請求項７】
前記サーバは、電子機器製造社からコードデータを収集して前記コンピュータ（１０）に提供するデータベースサーバ（２０）であることを特徴とする請求項６に記載の多機能リモコンシステム。
【請求項８】
前記サーバは、電子機器製造社サーバ（３０）であることを特徴とする請求項６に記載の多機能リモコンシステム。
【請求項９】
前記データは、前記コンピュータ（１０）に搭載されたカートリッジ制御ソフトウェア（１１）を介してインターネット（Ｎ）に接続されたサーバによって提供されるコンテンツデータであることを特徴とする請求項１に記載の多機能リモコンシステム。
【請求項１０】
前記サーバは、コンテンツサーバ（４０）であることを特徴とする請求項９に記載の多機能リモコンシステム。
【請求項１１】
前記カートリッジ（２００）はＤＡＬＩの通信回路をさらに含み、前記コンピュータ（１０）はＤＡＬＩの機能をさらに含むことを特徴とする請求項３に記載の多機能リモコンシステム。
【請求項１２】
前記カートリッジ（２００）はＺｉｇＢｅｅの通信回路をさらに含み、前記コンピュータ（１０）はＺｉｇＢｅｅの機能をさらに含むことを特徴とする請求項３に記載の多機能リモコンシステム。
【請求項１３】
前記カートリッジ（２００）はＨｏｍｅＮｅｔの通信回路をさらに含み、前記コンピュータ（１０）はＨｏｍｅＮｅｔの機能をさらに含むことを特徴とする請求項３に記載の多機能リモコンシステム。
【請求項１４】
前記カートリッジ（２００）はＢｌｕｅＴｏｏｔｈの通信回路をさらに含み、前記コンピュータ（１０）はＢｌｕｅＴｏｏｔｈの機能をさらに含むことを特徴とする請求項３に記載の多機能リモコンシステム。
【発明の詳細な説明】
【技術分野】
【０００１】
本発明は、多機能リモコンシステムに関する。さらに具体的には、本発明は、インターネットに接続されたユーザーコンピュータを介して、電子機器の制御コードデータおよびマルチメディアコンテンツデータを、リモコンに着脱可能なカートリッジに提供することにより、多様な電子機器を制御し且つマルチメディアコンテンツを再生することが可能な多機能リモコンシステムに関する。
【背景技術】
【０００２】
一般に、多機能リモコンは、家庭用音響および映像機器を中心に、ユーザーが機器の製造会社およびモデル名をリモコン本体に内蔵された制御コードを用いて入力する。しかしながら、多機能リモコンは、制御コード処理部と一体になっている一体型構造であって、一つの機能のみのための専用機器として設計されて、拡張性がない形態である。
【０００３】
それゆえに、最近、既存の設計構造に操作ボタンの機能と連係されるグラフィック画面が構成され、且つプログラム機能を追加されたリモコンが登場した。しかし、リモコンに接続されたＰＣソフトウェアが制限的な用途で製作されるため、効果的な技術支援が難しいという問題があった。
【発明の開示】
【発明が解決しようとする課題】
【０００４】
本発明は、上述した問題点を解決するためのものであり、その目的は、インターネットに接続されたユーザーコンピュータから電子機器の制御コードデータおよびマルチメディアコンテンツデータの提供を受けることにより、多様な電子機器を制御し且つマルチメディアコンテンツを再生することが可能な多機能リモコンを提供することにある。
【０００５】
本発明の他の目的は、リモコンから分離することができる多機能リモコン用のシステムを提供し、カートリッジとユーザーコンピュータにそれぞれ新規の通信回路および機能を追加するだけで、新しいマルチメディア機器の制御システムを実現することが可能なリモコンを提供することにある。
【課題を解決するための手段】
【０００６】
上記目的を達成するために、本発明は、カートリッジ２００と機械的および電気的に接続し、第１接続部１１０を介してカートリッジに収録されたデータを読み出して格納し、リモコンの使用登録設定を行うリモコン１００と、前記リモコン１００と機械的および電気的に接続し、ユーザーコンピュータ１０からデータを受信して格納し、コントロールしようとする製品に対して／から赤外線信号を送受信するカートリッジ２００とを含む、多機能リモコンシステムを提供する。
【０００７】
ここで、リモコン１００は、カートリッジ２００と機械的および電気的に接続する第１接続部１１０と、前記第１接続部１１０を介してカートリッジに収録されたデータを読み出すデータリーダー部１２０と、データリーダー部１２０から読み出したデータを記憶するメモリ部１３０と、リモコンの使用登録設定のための設定キーを含んで多数のキーからなるキー入力部１４０と、データリーダー部１２０、メモリ部１３０およびキー入力部１４０を制御する中央処理部１５０とを含むことを特徴とする。
【０００８】
カートリッジ２００は、リモコン１００と機械的および電気的に接続する第２接続部２１０と、ユーザーコンピュータ１０からデータを受信するインターフェース部２２０と、前記インターフェース部２２０を介して受信したデータを格納するメモリ部２３０と、コントロールしようとする製品に対して／から赤外線信号を送受信する赤外線送受信部２４０と、インターフェース部２２０、メモリ部２３０および赤外線送受信部２４０を制御するＭＣＵ２５０とを含むことを特徴とする。
【０００９】
本発明に係る多機能リモコンシステムは、メモリ部１３０に格納されたマルチメディアコンテンツの音声データを出力するスピーカ部１６０と、メモリ部１３０に格納されたマルチメディアコンテンツの動画像データを出力するディスプレイ部１７０とをさらに含み、前記スピーカ部１６０およびディスプレイ部１７０は中央処理部１５０と連動することを特徴とする。
【００１０】
ディスプレイ部１７０は、ＳＶＧ（Ｓｃａｌａｂｌｅ  Ｖｅｃｔｏｒ  Ｇｒａｐｈｉｃｓ）を基礎とすることを特徴とする。
【００１１】
データは、上記ソフトウェアに搭載されたカートリッジ制御ソフトウェア１１を介してインターネットに接続されたサーバによって提供される多様な電子機器のコードデータであることを特徴とする。
【００１２】
サーバは、電子機器製造社からコードデータを収集してコンピュータ１０に提供するデータベースサーバ２０であることを特徴とする。
【００１３】
サーバは、電子機器製造社サーバ３０であることを特徴とする。
【００１４】
データは、コンピュータ１０に搭載されたカートリッジ制御ソフトウェア１１を介してインターネットＮに接続されたサーバによって提供されるコンテンツデータであることを特徴とする。
【００１５】
サーバは、コンテンツサーバ４０であることを特徴とする。
【００１６】
カートリッジ２００はＤＡＬＩの通信回路をさらに含み、前記コンピュータはＤＡＬＩの機能をさらに含むことを特徴とする。
【００１７】
カートリッジ２００はＺｉｇＢｅｅの通信回路をさらに含み、前記コンピュータ１０はＺｉｇＢｅｅの機能をさらに含むことを特徴とする。
【００１８】
カートリッジ２００はＨｏｍｅＮｅｔの通信回路をさらに含み、前記コンピュータ１０はＨｏｍｅＮｅｔの機能をさらに含むことを特徴とする。
【００１９】
カートリッジ２００はＢｌｕｅＴｏｏｔｈの通信回路をさらに含み、前記コンピュータ１０はＢｌｕｅＴｏｏｔｈの機能をさらに含むことを特徴とする。
【発明を実施するための最良の形態】
【００２０】
以下に、添付図面を参照にしながら、本発明を詳細に説明する。
【００２１】
図１〜図３を参照にして、本発明の好適な一実施例に係る多機能リモコンシステムの構成について説明する。
【００２２】
これに先立ち、本発明において次のカートリッジ２００にＵＳＢ（Ｕｎｉｖｅｒｓａｌ  Ｓｅｒｉａｌ  Ｂｕｓ）インターフェースが設置されて、カートリッジとユーザーコンピュータとの間のデータ交換が可能であることを理解することが好ましい。これはＩＥＥＥのＵＳＢ規約に従う。
【００２３】
図１に示すように、多機能リモコンシステムは、リモコン１００およびカートリッジ２００を含んでなる。
【００２４】
図２に示すように、リモコン１００は、第１接続部１１０、データリーダー部１２０、メモリ部１３０、キー入力部１４０および中央処理部１５０から構成される。第１接続部１１０は、次のカートリッジ２００と機械的および電気的に接続する。さらに、データリーダー部１２０は、第１接続部１１０を介してカートリッジに収録されたデータを読み出す。さらに、メモリ部１３０はデータリーダー部１２０から読み出したデータを格納する。さらに、キー入力部１４０は、リモコンの使用登録設定のための設定キーを含む多数のキーからなる。そして、中央処理部１５０は、データリーダー部１２０、メモリ部１３０およびキー入力部１４０を制御する。
【００２５】
好ましくは、このように構成されるリモコン１００は、スピーカ部１６０およびディスプレイ部１７０をさらに含むことができる。ここで、ディスプレイ部１７０は、グラフィック客体がベクトル方式で処理されるＳＶＧ（Ｓｃａｌａｂｌｅ  Ｖｅｃｔｏｒ  Ｇｒａｐｈｉｃｓ）を基礎として、解像度に関係なくグラフィックの品質を維持して出力する。
【００２６】
図３に示すように、リモコンに着脱可能なカートリッジ２００は、第２接続部２１０、インターフェース部２２０、メモリ部２３０、赤外線送受信部２４０およびＭＣＵ（Ｍｉｃｒｏ  Ｃｏｎｔｒｏｌ  Ｕｎｉｔ，２５０）から構成される。さらに、第２接続部２１０は、リモコン１００と機械的および電気的に接続する。さらに、インターフェース部２２０は次のユーザーコンピュータ１０からデータを受信する。さらに、メモリ部２３０は、インターフェース部２２０を介して受信したデータを格納する。さらに、赤外線送受信部２４０は、コントロールしようとする製品に対して／から赤外線信号を送受信する。そして、ＭＣＵ２５０は、インターフェース部２２０、メモリ部２３０および赤外線送受信部２４０を制御する。
【００２７】
以下に、図４〜図６を参照して、ユーザーコンピュータ１０から提供されるデータ（電子機器の制御コードデータおよびマルチメディアコンテンツデータ）を用いた多機能リモコンの作動の例について説明する。
【００２８】
まず、様々な電子機器を制御するための作動の例について説明する。
【００２９】
図４に示すように、ユーザーコンピュータ（以下、「コンピュータ」１０という）は、インターネットＮを介してデータベースサーバ２０に接続される。そして、コンピュータはデータベースサーバ２０から提供される多様な電子機器の制御コードデータ（以下「コードデータ」という）を受信および格納するカートリッジ制御ソフトウェア１１が実装される。
【００３０】
言い換えれば、カートリッジ制御ソフトウェア１１は、電子機器製造社からコードデータを収集したデータベースサーバ２０からインターネットＮを介して多様な電子機器のコードデータを受信して格納する。
【００３１】
また、図５に示すように、本実施例では、カートリッジ制御ソフトウェア１１はインターネットＮを介してそれぞれの電子機器製造社（Ａ，Ｂ，Ｃ）サーバ３０からコードデータを個別的に受信することもできる。
【００３２】
次に、マルチメディアコンテンツ機能による作動例について説明する。
【００３３】
図６に示すように、コンピュータ１０は、インターネットＮを介して多数のコンテンツサーバ４０に接続される。そして、コンピュータは、コンテンツサーバ４０から提供されるマルチメディアコンテンツデータ（以下、「コンテンツデータ」という）を受信および格納するカートリッジ制御ソフトウェア１１が搭載される。
【００３４】
言い換えれば、カートリッジ制御ソフトウェア１１は、インターネットＮを介して多数のコンテンツサーバ４０が提供する多様なコンテンツデータを受信して格納する。
【００３５】
マルチメディアコンテンツ機能によるリモコン作動例において、ユーザーがＤＡＬＩ、ＺｉｇＢｅｅ、ＨｏｍｅＮｅｔおよびＢｌｕｅＴｏｏｔｈなどのメディアインターフェースを追加しようとする場合、カートリッジ２００のインターフェース２２０に対応する通信回路を追加し、コンピュータ１０のカートリッジ制御ソフトウェア１１に対応する機能を追加することにより、ユーザーの要求に合わせて使用することができる。
【００３６】
本発明の属する技術分野において、上述した本発明は、実施形態および添付図面に限定されず、当該分野における通常の知識を有する者であれば、技術思想から逸脱しない範囲内において、多様な置換、変形および変更が可能である。
【産業上の利用可能性】
【００３７】
上述したように、本発明によれば、ユーザーコンピュータを介して、電子機器の制御コードデータおよびマルチメディアコンテンツデータを、リモコンに着脱可能なカートリッジに提供することにより、多様な電子機器を制御し且つゲームや教育コンテンツなどのマルチメディアコンテンツを再生することができる。
【００３８】
また、マルチメディアコンテンツが収録されたカートリッジをリモコンから分離することができるため、カートリッジとユーザーコンピュータにそれぞれ新しい通信回路および機能を追加するだけで新規のマルチメディア機器を制御するシステムを実現することができる。
【図面の簡単な説明】
【００３９】
【図１】本発明の好適な一の実施形態に係る多機能リモコンシステムの構成図である。
【図２】本発明の好適な一の実施形態に係るリモコンの構成図である。
【図３】本発明の好適な一の実施形態に係るカートリッジの構成図である。
【図４】本発明の好適な一の実施形態に係るリモコンがユーザーコンピュータを介して電子機器の制御コードデータを受信する過程を示す例示図である。
【図５】本発明の好適な他の実施形態に係るリモコンがユーザーコンピュータを介して電子機器の制御コードデータを受信する過程を示す例示図である。
【図６】本発明の好適な一の実施形態に係るリモコンがユーザーコンピュータを介してマルチメディアコンテンツデータを受信する過程を示す例示図である。
【図１】
2009519667.tif 000003
【図２】
2009519667.tif 000004
【図３】
2009519667.tif 000005
【図４】
2009519667.tif 000006
【図５】
2009519667.tif 000007
【図６】
2009519667.tif 000008
【国際調査報告】
2009519667.tif 000009
2009519667.tif 000010